(57)【要約】【課題】一層の小形化を実現し得るブルートゥース用モジュール装置を提供する。【解決手段】絶縁体３ａの表面にアンテナ電極３ｂが形成されると共に裏面にグランド電極３ｃが形成された誘電体アンテナ３がグランド電極３ｃを下向きにして基板２の一方の面に実装されると共に、基板３の他方の面における誘電体アンテナ３の実装部位に対応する領域内に電子回路４が実装されている。この構成により、誘電体アンテナ３の実装領域内に実装された電子回路４の実装面積分だけ、基板３の平面視面積を小さくすることができるため、モジュール装置１をより小形化することができる。【選択図】図２
2005184615.tif 000002
【特許請求の範囲】
【請求項１】
絶縁体の表面または内部にアンテナ電極が形成されると共に裏面にグランド電極が形成された誘電体アンテナが前記グランド電極を下向きにして基板の一方の面に実装されると共に、前記基板の他方の面における前記誘電体アンテナの実装部位に対応する領域内に電子回路構成部品が実装されているブルートゥース用モジュール装置。
【請求項２】
請求項１記載のブルートゥース用モジュール装置を備えているアダプタ装置。
【請求項３】
請求項１記載のブルートゥース用モジュール装置を備えている情報機器。
【発明の詳細な説明】
【技術分野】
【０００１】
本発明は、情報機器やアダプタ装置等のホスト機器に実装されて、各ホスト機器相互間を無線接続してデータの送受信を可能とするブルートゥース用モジュール装置、このブルートゥース用モジュール装置を備えているアダプタ装置および情報機器に関するものである。
【背景技術】
【０００２】
この種のブルートゥース用モジュール装置として、特開２００２−３５３８４１号公報に開示されたブルートゥース用モジュール装置が知られている。このブルートゥース用モジュール装置は、高周波送受信回路やベースバンド信号処理回路等を有する無線通信モジュール部やアンテナ部等を搭載した配線基板上に、無線通信モジュール部とアンテナ部との間を接続又は切断する切替スイッチ付コネクタが搭載されて構成されている。また、無線通信モジュール部やアンテナ部等は、配線基板の一方の面に並設されている。このブルートゥース用モジュール装置では、切替スイッチ付コネクタを切替操作することにより、アンテナ内蔵仕様とアンテナ外付け仕様とに兼用して使用することができる。
【特許文献１】特開２０００−２８５４６９号公報（第２頁、第２図）
【発明の開示】
【発明が解決しようとする課題】
【０００３】
ところで、ブルートゥース用モジュール装置は、上述したように各種のホスト機器に実装されて（組み込まれて）使用されるため、外形が小形であるのが好ましい。ところが、従来のブルートゥース用モジュール装置では、上述したように、無線通信モジュール部やアンテナ部等が配線基板の一方の面に平面的に並設されている。したがって、無線通信モジュール部やアンテナ部等を構成する各電子部品の面積の総和以下には、その外形（平面形状）を小さくすることができない結果、さらなる小形化が困難であるという問題点が存在する。
【０００４】
本発明は、かかる問題点に鑑みてなされたものであり、一層の小形化を実現し得るブルートゥース用モジュール装置を提供することを主目的とする。また、このブルートゥース用モジュール装置を備えて一層の小形化を実現し得るアダプタ装置および情報機器を提供することを他の主目的とする。
【課題を解決するための手段】
【０００５】
上記目的を達成すべく本発明に係るブルートゥース用モジュール装置は、絶縁体の表面または内部にアンテナ電極が形成されると共に裏面にグランド電極が形成された誘電体アンテナが前記グランド電極を下向きにして基板の一方の面に実装されると共に、前記基板の他方の面における前記誘電体アンテナの実装部位に対応する領域内に電子回路構成部品が実装されている。
【０００６】
また、本発明に係るアダプタ装置は、上記のブルートゥース用モジュール装置を備えている。
【０００７】
また、本発明に係る情報機器は、上記のブルートゥース用モジュール装置を備えている。
【発明の効果】
【０００８】
本発明に係るブルートゥース用モジュール装置によれば、絶縁体の表面または内部にアンテナ電極が形成されると共に裏面にグランド電極が形成された誘電体アンテナをグランド電極を下向きにして基板の一方の面に実装し、基板の他方の面における誘電体アンテナの実装部位に対応する領域内に電子回路構成部品を実装したことにより、基板を平面視した状態において、誘電体アンテナの実装領域内に電子回路構成部品が実装されることになる。このため、基板の平面視状態の面積は、従来のブルートゥース用モジュール装置と比較して、誘電体アンテナの実装領域内に実装された電子回路構成部品の実装面積分だけ小さくなる。この結果、誘電体アンテナおよび電子回路構成部品が実装される基板をより小形化することができるため、ブルートゥース用モジュール装置をより小形化することができる。
【０００９】
また、本発明に係るアダプタ装置および情報機器によれば、上述したブルートゥース用モジュール装置を用いたことにより、ブルートゥース用モジュール装置を小形化した分だけ、ブルートゥース用モジュール装置用の設置スペースを小さくすることができる。したがって、アダプタ装置および情報機器をその分だけ小形化することができる。
【発明を実施するための最良の形態】
【００１０】
以下、添付図面を参照して、本発明に係るブルートゥース用モジュール装置、アダプタ装置および情報機器の最良の形態について説明する。
【００１１】
最初に、ブルートゥース用モジュール装置１（以下、「モジュール装置１」ともいう）の構成について、図面を参照して説明する。
【００１２】
モジュール装置１は、図１，２に示すように、配線基板（以下、「基板」ともいう）２、誘電体パッチアンテナ（本発明における誘電体アンテナに相当し、以下、「誘電体アンテナ」ともいう）３、電子回路４およびコネクタ５を備えて構成され、図４，５にそれぞれ示すように、例えばカード型のアダプタ装置（図４では一例としてＰＣＭＣＩＡカード型のアダプタ装置）１１や電子機器（図５では一例としてパーソナルコンピュータ）２１等のホスト機器内に実装（搭載）されることにより、ブルートゥース通信システムを構成する。
【００１３】
基板２は、ガラスエポキシ樹脂やセラミック等を用いて、一例として、図１，２に示すように長方形の平板体に形成されている。また、基板２には、実装された誘電体アンテナ３、電子回路４およびコネクタ５をそれぞれ接続するための配線パターンやスルーホール（いずれも図示せず）が形成されている。
【００１４】
誘電体アンテナ３は、図２，３に示すように、一例として直方体に形成された絶縁体３ａの表面または内部（同図では一例として表面）にアンテナ電極３ｂが形成されると共に、裏面にグランド電極３ｃと給電点３ｅとが形成されて構成されている。この場合、絶縁体３ａの一つの側面には、一端がアンテナ電極３ｂに接続されると共にその一つの側面を経由して他端が給電点３ｅに達する給電線３ｄが形成されている。なお、グランド電極３ｃは、絶縁体３ａの裏面において、給電点３ｅの形成部位を除く部位の全域にいわゆるベタアースとして形成されている。このように構成された誘電体アンテナ３は、グランド電極３ｃを下向きにして基板２の一方の面（図２中の上面）に実装されている。
【００１５】
電子回路４は、一例として、図３に示すように、送受信部４ａ、処理部４ｂ、入出力部４ｃ、メモリ４ｄおよび発振器４ｅを備えて構成されて、図１，２に示すように、基板２の他方の面（図２中の下面）に実装されている。また、電子回路４は、基板２の他方の面における誘電体アンテナ３の実装部位に対応する領域内に、送受信部４ａ、処理部４ｂ、入出力部４ｃ、メモリ４ｄおよび発振器４ｅを構成する電子回路構成部品のうちの少なくとも一部が位置するようにして実装されている。コネクタ５は、図１，２に示すように、基板２の他方の面（図２中の下面）において、電子回路４と並設した状態で実装されている。このように基板２の各面に実装された誘電体アンテナ３、電子回路４およびコネクタ５は、前述したように、基板２に形成された配線パターンやスルーホールによって相互に接続されている。
【００１６】
このモジュール装置１では、グランド電極３ｃを下向きにして基板２の一方の面に誘電体アンテナ３を実装し、基板２の他方の面における誘電体アンテナ３の実装部位に対応する領域内に、電子回路４を構成する電子回路構成部品の少なくとも一部が実装されている。したがって、基板２を平面視した状態において、電子回路構成部品が誘電体アンテナ３の実装領域内に実装されることになる。言い換えれば、誘電体アンテナ３と、電子回路構成部品の一部とが、基板２の基板面に対して直交する方向（垂直方向）において互いに重なり合った状態で実装される。このため、基板２の平面視状態の面積は、従来のブルートゥース用モジュール装置と比較して、誘電体アンテナ３の実装領域内に実装された電子回路構成部品の実装面積分だけ小さくなる。この結果、誘電体アンテナ３、電子回路４およびコネクタ５が実装される基板２をより小形化することができるため、モジュール装置１をより小形化することができる。また、誘電体アンテナ３の片面にグランド電極３ｃを形成し、かつそのグランド電極３ｃを下向きにした状態で誘電体アンテナ３を基板２に実装したことにより、誘電体アンテナ３のアンテナ特性が電子回路４などの周辺電子部品に影響されにくくなる結果、誘電体アンテナ３の通信性能を最大限に発揮させることができる。さらに、同軸ケーブル等の接続用ケーブルを用いることなく誘電体アンテナ３と送受信部４ａとを給電線３ｄで接続したことにより、接続用ケーブルによる損失をなくすことができる分だけ、モジュール装置１の通信性能を向上させることができる。
【００１７】
また、モジュール装置１は、前述したように、アダプタ装置１１やパーソナルコンピュータ２１等のホスト機器内に実装されてブルートゥース通信システムを構成する。この場合、モジュール装置１は、コネクタ５と、コネクタ５に接続されたインターフェースケーブル（図示せず）とを介してホスト機器に接続される。したがって、このようなアダプタ装置１１やパーソナルコンピュータ２１等のホスト機器についても、モジュール装置１自体が小形化されることにより、モジュール装置１を実装するためのスペースを小さく（省スペース化）することができる結果、十分に小形化することができる。
【００１８】
なお、本発明は、上記の構成に限定されない。例えば、平面形状が正方形の誘電体アンテナ３を備えたモジュール装置１を例に挙げて説明したが、形状は正方形や長方形に限定されるものではなく、例えば、平面形状が、円形、楕円形および多角形等の任意の形状の誘電体アンテナを備えたモジュール装置に対しても本発明を適用することができる。また、直方体に形成した絶縁体３ａの表面にアンテナ電極３ｂを形成した誘電体アンテナ３を例に挙げて説明したが、絶縁体３ａの内部にアンテナ電極３ｂを形成してもよいのは勿論である。また、モジュール装置１を実装したアダプタ装置の一例としてＰＣＭＣＩＡカード型のアダプタ装置１１を例に挙げて説明したが、コンパクトフラッシュ（登録商標）カード型のアダプタ装置についてもモジュール装置１を実装することにより、十分に小形化することができる。さらに、本発明におけるアダプタ装置は、カード型のアダプタ装置のみならず、例えば、図６に示すブルートゥース  ＵＳＢ（Universal Serial Bus）アダプタ３１、図７に示すブルートゥース  ＲＳ−２３２Ｃ  アダプタ４１、およびプリンタアダプタ（図示せず）にも適用することができる。また、モジュール装置１を実装したホスト機器（情報機器）の一例として、パーソナルコンピュータ２１を例に挙げて説明したが、ＰＤＡ等の携帯端末、図８に示す携帯型のナビゲーション装置５１、車載用のナビゲーション装置（図示せず）、および図９に示すはがき６２を印刷可能なはがき印刷用のプリンタ６１を初めとする携帯型プリンタ（モバイルプリンタなどのポータブルプリンタ）などにも適用することができ、このような装置であっても、モジュール装置１を実装することによって十分に小形化することができる。
【図面の簡単な説明】
【００１９】
【図１】モジュール装置１の平面図である。
【図２】モジュール装置１の斜視図である。
【図３】モジュール装置１の構成を示すブロック図である。
【図４】モジュール装置１を実装したアダプタ装置１１の正面図である。
【図５】モジュール装置１を実装したパーソナルコンピュータ２１の斜視図である。
【図６】モジュール装置１を実装したブルートゥース  ＵＳＢアダプタ３１の斜視図である。
【図７】モジュール装置１を実装したブルートゥース  ＲＳ−２３２Ｃ  アダプタ４１の斜視図である。
【図８】モジュール装置１を実装したナビゲーション装置５１の斜視図である。
【図９】モジュール装置１を実装したプリンタ６１の斜視図である。
【符号の説明】
【００２０】
１  モジュール装置
２  基板
３  誘電体パッチアンテナ
３ｂ  アンテナ電極
３ｃ  グランド電極
４  電子回路
１１  アダプタ装置
２１  パーソナルコンピュータ
３１  ブルートゥース  ＵＳＢアダプタ
４１  ブルートゥース  ＲＳ−２３２Ｃ  アダプタ
５１  ナビゲーション装置
６１  プリンタ
【図１】
2005184615.tif 000003
【図２】
2005184615.tif 000004
【図３】
2005184615.tif 000005
【図４】
2005184615.tif 000006
【図５】
2005184615.tif 000007
【図６】
2005184615.tif 000008
【図７】
2005184615.tif 000009
【図８】
2005184615.tif 000010
【図９】
2005184615.tif 000011